(57)【要約】例えば釣り具など、海底又はその近傍で引っ張られる物体の、物理的な着底又はそれに近い状態を検出するための方法及び装置であり、この方法は、張力センサー(4)に連結されている質量体(7)が海底と物理的に接触した結果として、張力センサー(4)を作動させる力が変化することを検出するステップを含み、この変化が着底の指標として使用され、且つ、海底に沿って質量体(7)が引っ張られることによって生じる摩擦力(F2)のほとんどが張力解放手段(8)によって吸収される。本発明の装置は、着底によって張力センサー(4)が起動するように、張力センサー(4)から吊り下げられている質量体(7)、及び質量体(7)に接続され、海底の上方で質量体が引っ張られることによって生じる摩擦力を吸収するように適合されている少なくとも1つの張力解放手段(8)を含む。【選択図】図２
2004524022.tif 000002
【特許請求の範囲】
【請求項１】
海底又は海底近傍で引っ張られる物体、例えば釣り具の、物理的な着底又はそれに近い状態を検出する方法であって、
張力センサー(4)に連結されている質量体(7)が海底と物理的に接触する結果として、張力センサー(4)を作動させる力が変化することを探知するステップを含み、この力の変化が着底の指標として使用され、海底に沿って前記質量体(7)が引っ張られることによって生じる摩擦力(F2)のほとんどが張力解放手段(8)によって吸収されることを特徴とする方法。
【請求項２】
海底又は海底近傍で引っ張られる物体、例えば釣り具の、物理的な着底又はそれに近い状態を検出する装置であって、
着底によって張力センサー(4)が起動するように、当該張力センサー(4)から吊り下げられている質量体(7)と、この質量体(7)に連結され、海底の上方で前記質量体が引っ張られることによって生じる力を吸収するように適合されている少なくとも1つの張力解放手段(8)とによって特徴付けられている装置。
【請求項３】
前記質量体(7)が、前記張力解放手段(8)と前記センサーにおける懸架機構(6)の両方を構成する鎖(6)に吊り下げられている請求項２に記載の装置。
【請求項４】
前記質量体の吊り下げ箇所が、前記鎖又は類似物(6、8)に沿って変化するように適合されている請求項３に記載の装置。
【請求項５】
前記質量体の前記懸架機構(6)が、弱い継ぎ目要素を介して、前記張力センサー(4)に連結されている請求項２〜４のいずれか１項に記載の装置。
【請求項６】
前記張力センサー(4)からの信号を、前記釣り具の装置及び／又は直接上方の船に音響によって伝達可能である請求項２〜５のいずれか１項に記載の装置。
【発明の詳細な説明】
【技術分野】
【０００１】
海底にほぼ接触して又は海底に接触して行われる漁獲の間、釣り具と海底の間の間隔を知ることは非常に重要である。
【０００２】
遠洋漁業用の釣り具にとって、着底を避けることは非常に重要であり、一方海底での漁獲用に構成されている釣り具にとって、正確な着底が効率の良い漁獲のために極めて重大である。
【０００３】
釣り具に取付けて、海底までの距離を測定する音響測深機を使用することは周知の技術である。段階的に物理的な着底をもたらす結果となる非常に短い距離においては、この曲面では釣り具からの音響と海底からの音響を区別することが難しいために、音響測深機を用いて信頼性の高い測定を行うことは困難である。このような目的に対して音響測深機を使用するためには、機器が非常に複雑となり、高価となる傾向がある。
【背景技術】
【０００４】
ロープの末端におもりを使用して、おもりが海底に接触していないときにはロープがぴんと張った状態を保つが、おもりが海底に衝突すると、ロープが弛み、これを水上艦艇で記録することが、米国特許第4,873,523号公報より従来公知である。おもりと海底の間の摩擦力によって、時折ロープに張力が生じる場合があるため、海底の上方で釣り具を引っ張る間、この測定原理には信頼性がない。
【発明の開示】
【発明が解決しようとする課題】
【０００５】
本発明は、上記の誤差源を排除することを目的とする。
【課題を解決するための手段】
【０００６】
本発明は、海底又は海底近傍で引っ張られる物体、例えば釣り具の、物理的な着底又はそれに近い状態を検出するための方法及び装置に関する。
【０００７】
本発明の方法は、張力センサーに連結されている質量体が海底と物理的に接触する結果として、張力センサーを作動させる力が変化することを検出するステップによって特徴付けられている。この力の変化は着底の指標として使用され、海底に沿って質量体が引っ張られることによって生じる摩擦力は、張力解放手段によってほぼ吸収される。
【０００８】
本発明の装置は、着底によってセンサーが作動するように質量体が張力センサーから吊り下げられ、且つ少なくとも1つの張力解放手段が質量体に接続され、質量体が海底の上で引っ張られることによって生じる力を吸収するように適合されていることを特徴とする。
【０００９】
したがって質量体が海底の上方で引っ張られる際に生じる摩擦力は、張力解放手段によって吸収され、海底検知の張力センサーには影響を及ぼさない。
【００１０】
張力センサーからのデータは、信号装置によって検出され、例えば水中音波遠隔測定法又はケーブル接続を介して、船に送信することが可能である。
【００１１】
本発明を例示する添付の図面を参照することにより、本発明をより詳細に説明する。
【発明を実施するための最良の形態】
【００１２】
図1は、海底近傍で引かれるトロールの形態で示す釣り具の一部分の概略を示す図である。海底ロープ1には、トロールの一部を構成するトロール網5と球体が取付けられている。この場合、球体と海底の間の距離dがある値より小さくなったことを、又は球体9が物理的に海底と接触したことを検出することが望ましい。海底検出器3は、トロールに、好ましくは、海底ロープ1とトロール網5に固定装置2によって取付けられ、それにより、検出器3は安定した水平位置に保たれる。張力センサー4には、以降鎖と称する、鎖、ワイヤー、ロープ又は類似物の、被測定長さa−bの鎖6が取付けられている。以降張力解放手段8と称する、鎖、ワイヤー、ロープ又は類似物の、被測定長さb−cの鎖が、例えば海底ロープ1、好ましくは前述の海底検出器3の固定装置2と同じ取付け箇所に取付けられている。従って、鎖6と張力解放手段8は、合計でa−b−cの長さを有する。鎖6の箇所bには、張力センサー4の測定範囲に適合している重量を有するおもりの形態の質量体が取付けられている。鎖6の長さa−bは、検出したい距離に画定され、その長さは、おもりが海底に接触しない場合に、おもり7が自由に動くように垂らされ、且つ力F1が最大となるような長さであるべきである。海底との接触が生じると、力F1は減少し、これは張力センサー4によって検出される。
【００１３】
おもりが海底に接した際、おもり7の重量の消滅と対応する力F1の減少により、着底の程度が画定される。おもりと海底の間の摩擦によって生じる水平方向の力の成分F2は、おもりが海底に接触し始めると直ぐに張力解放手段8を介して海底ロープ1に伝達されるように、張力解放手段8の長さb−cは適合されている。図1は、おもりが真っ直ぐ下に垂らされ、三角形a−b−cは直角三角形であり、F2が最大である状態を示している。
【００１４】
過負荷からセンサーを保護するために、例えば張力センサー4が損傷を受ける前に、引きちぎれるように適合されている弱い継ぎ目、例えば繋索ロープを介して鎖6は張力センサーに取付けられている。
【００１５】
図2は、海底で引っ張られている、即ち着底している釣り具の一部分の概略を示す。おもり7が海底と物理的に接触するようになった時点から、力F1は減少し、この力の減少は海底検出器3で記録され、海底検出器は信号を船に送信する。距離がさらに減少すると、海底とおもり7の間の摩擦力は全て海底ロープ1に徐々に伝達されるようになり、F2が最大に達し、対応してF1は最小になる。このことは張力センサー4によって検出され、張力センサーは最大着底に関する信号を船に送信する。張力センサー4の代わりに、海底のおもり7が引っ張られることによって生じる摩擦力のほとんど又は全てを海底ロープ1に伝達することによって、測定誤差及び誤った解釈を回避することができる。
【００１６】
図3は、センサー要素と信号装置の間が水に対して密封することを意図している張力センサー4の原理的な概略図である。永久磁石11の位置に影響を与えるセンサーストラップ13に鎖6が取付けられている。永久磁石は、機械式ばね12によってバイアスされており、ばねの力は使用されるおもりに適合させることができる。永久磁石の位置は、センサーによって、例えばリード継電器10によって読み取られ、センサーは次いで、着底した、又はしていないという情報を船に送る信号装置9に信号を送る。リード継電器は、着底の程度を示すために、張力センサーの絶対的な位置を検出する検出器で置換することができる。
【００１７】
1つ又は複数の海底探知器3を、海底又はその上方で引っ張られる釣り具又は物体に、いずれかの方法によって取付けることもできる。
【００１８】
本発明はこれら例に限定されず、釣り具への使用を超えた使用、例えば牽引される、又は浮動性水中車両への使用も可能である。
【国際公開パンフレット】
2004524022.tif 000003
2004524022.tif 000004
2004524022.tif 000005
2004524022.tif 000006
2004524022.tif 000007
2004524022.tif 000008
2004524022.tif 000009
【国際調査報告】
2004524022.tif 000010
2004524022.tif 000011
2004524022.tif 000012